(57)【要約】【課題】ウィンドウ内の表示データのスクロール操作を簡略化する。【解決手段】スクロール機能付きグライドポイント装置１を、ばね６の付勢力に抗して押下したときに側方にスライド可能になるグライドポイント３のスライド方向にスイッチ（ＳＷ）７ａ，７ｂを配置し、そのグライドポイント３がＳＷ７ａまたはＳＷ７ｂに当接することによって、画面上の表示データのスクロール方向が検出されるように構成する。これにより、グライドポイント３と別個のスクロール操作専用のボタンが不要になり、指をグライドポイント３に置いたまま、ポインタ移動やウィンドウ選択の操作、ウィンドウ内表示データのスクロール操作を行うことができるようになる。【選択図】        図１
2004362097.tif 000002
【特許請求の範囲】
【請求項１】
画面に表示されたウィンドウ内の表示データをスクロールさせる操作を行うためのスクロール機能付きグライドポイント装置において、
表面側から押下されて側方にスライド可能になるグライドポイントと、
スライドされた前記グライドポイントが当接して前記表示データをスクロールさせる方向を検出するスイッチと、
を有することを特徴とするスクロール機能付きグライドポイント装置。
【請求項２】
前記グライドポイントは、表面側から押下されて、前記スイッチの方向に延びるレールに沿ってスライドされることを特徴とする請求項１記載のスクロール機能付きグライドポイント装置。
【請求項３】
画面に表示されたウィンドウ内の表示データをスクロールさせる操作を行うためのスクロール機能付きグライドポイント装置を備えるパーソナルコンピュータにおいて、
表面側から押下されて側方にスライド可能になるグライドポイントと、スライドされた前記グライドポイントが当接して前記表示データをスクロールさせる方向を検出するスイッチと、を有するスクロール機能付きグライドポイント装置を備えることを特徴とするパーソナルコンピュータ。
【請求項４】
画面に表示されたウィンドウ内の表示データをスクロールさせる操作を行うためのスクロール機能付きグライドポイント装置を備えるキーボードにおいて、
表面側から押下されて側方にスライド可能になるグライドポイントと、スライドされた前記グライドポイントが当接して前記表示データをスクロールさせる方向を検出するスイッチと、を有するスクロール機能付きグライドポイント装置を備えることを特徴とするキーボード。
【請求項５】
コンピュータを用い、画面に表示されたウィンドウ内の表示データをスクロールさせるためのプログラムにおいて、
コンピュータに、
グライドポイント上で電気信号が検出された時間および前記電気信号が検出された位置の座標を示す検出信号をキーボードコントローラで受信させ、
前記電気信号が検出された時間があらかじめ設定された一定時間以上で、かつ、前記電気信号が検出された位置の座標が前記グライドポイント上にあらかじめ設定された指定領域内にある場合に、前記表示データを前記指定領域に応じた方向へスクロールさせる処理を実行させるためのプログラム。
【発明の詳細な説明】
【０００１】
【発明の属する技術分野】
本発明はスクロール機能付きグライドポイント装置に関し、特にパーソナルコンピュータに搭載あるいは接続されて、ディスプレイ画面に表示されたウィンドウ内の表示データを上下左右にそれぞれスクロールさせる操作が行えるスクロール機能付きグライドポイント装置に関する。さらに、本発明は、スクロール機能付きグライドポイント装置を用いたパーソナルコンピュータ並びにキーボード、およびスクロール処理をコンピュータに実行させるためのプログラムに関する。
【０００２】
【従来の技術】
従来のノート型パーソナルコンピュータには、通常、各種文字、数字、図形などを直接入力するためのキーのほかに、左ボタン、右ボタン並びにグライドポイント（スライドパネル）およびそのディスプレイ画面に表示されたウィンドウ内の表示データをスクロールさせるためのスクロールボタンが設けられている（例えば特許文献１参照）。
【０００３】
このようなノート型パーソナルコンピュータでは、グライドポイントに指を接触させて滑らせることにより、画面上でポインタを移動させることができ、グライドポイントを指で１回タップすることにより、画面に表示されたウィンドウを選択する（アクティブにする）ことができるようになっている。
【０００４】
また、スクロールボタンはグライドポイントと別個に設けられていて、スクロールボタンを１回押すことにより、グライドポイントによって移動されたポインタの移動先のウィンドウが選択される。そして、例えば、スクロールボタンを左方向または右方向に押すことにより、そのウィンドウ内の表示データを画面右方向または画面左方向にスクロールさせることができるようになっている。さらに、スクロールボタンを前後方向に回転可能に構成して、指でスクロールボタンを前方向または後方向に回転させることにより、選択されているウィンドウ内で表示データを画面下方向または画面上方向にスクロールさせることができるようになっている。
【０００５】
【特許文献１】
特開２００２−２３９４７号公報（段落番号［００１５］〜［００１７］，図１）
【０００６】
【発明が解決しようとする課題】
しかし、従来のノート型パーソナルコンピュータでは、グライドポイントを操作してポインタの移動およびウィンドウの選択を行い、スクロールボタンを操作してウィンドウ内の表示データのスクロールを行うようにしているため、使用者は、それぞれの操作のたびに、異なる位置に別個に配置されているグライドポイントとスクロールボタンの間で指を移動させなければならない。
【０００７】
さらに、画面上下方向にスクロールさせる際には、スクロールボタンを前後方向に回転させる必要があるため、ウィンドウ内に表示データが多数含まれている場合には、目的の表示データを見つけ出すまでに繰り返し何度もスクロールボタンの回転操作を行わなければならない場合もある。
【０００８】
また、このようにグライドポイントとスクロールボタンが別個に設けられている場合、一方の手でグライドポイントを操作し、もう一方の手でスクロールボタンを操作するといった状況も想定される。
【０００９】
このように、従来のノート型パーソナルコンピュータでは、ポインタ移動やウィンドウ選択の操作およびウィンドウ内表示データのスクロール操作に煩雑さが伴う場合があるという問題点があった。
【００１０】
本発明はこのような点に鑑みてなされたものであり、ポインタ移動やウィンドウ選択の操作、ウィンドウ内表示データのスクロール操作を、指をグライドポイント上に置いたまま簡単かつ容易に行うことのできるスクロール機能付きグライドポイント装置を提供することを目的とする。
【００１１】
さらに、本発明は、スクロール機能付きグライドポイント装置を備えるパーソナルコンピュータ、並びにパーソナルコンピュータに用いられるキーボード、およびスクロール処理をコンピュータに実行させるためのプログラムを提供することを目的とする。
【００１２】
【課題を解決するための手段】
本発明では、上記課題を解決するために、図１に例示する構成によって実現可能なスクロール機能付きグライドポイント装置１が提供される。本発明のスクロール機能付きグライドポイント装置１は、画面に表示されたウィンドウ内の表示データをスクロールさせる操作を行うためのスクロール機能付きグライドポイント装置１において、表面側から押下されて側方にスライド可能になるグライドポイント３と、スライドされた前記グライドポイント３が当接して前記表示データをスクロールさせる方向を検出するスイッチ７ａ，７ｂと、を有することを特徴とする。
【００１３】
このようなスクロール機能付きグライドポイント装置１によれば、グライドポイント３が、表面側から押下されたときに側方にスライド可能になり、そのスライド方向にスイッチ７ａ，７ｂが配置されて、グライドポイント３がスライドしてスイッチ７ａ，７ｂに当接することによってスクロール方向が検出される。これにより、グライドポイント３と別個のスクロール操作専用のボタンが不要になり、指をグライドポイント３に置いたまま、ポインタ移動やウィンドウ選択の操作のほかに、ウィンドウ内表示データのスクロール操作を行えるようになる。
【００１４】
さらに、本発明では、上記のような構成のスクロール機能付きグライドポイント装置を備えるパーソナルコンピュータ、およびパーソナルコンピュータに用いられるキーボードが提供される。これらによっても、同じくスクロール操作の簡略化が図られる。
【００１５】
また、本発明では、コンピュータを用い、画面に表示されたウィンドウ内の表示データをスクロールさせるためのプログラムにおいて、コンピュータに、グライドポイント上で電気信号が検出された時間および前記電気信号が検出された位置の座標を示す検出信号をキーボードコントローラで受信させ、前記電気信号が検出された時間があらかじめ設定された一定時間以上で、かつ、前記電気信号が検出された位置の座標が前記グライドポイント上にあらかじめ設定された指定領域内にある場合に、前記表示データを前記指定領域に応じた方向へスクロールさせる処理を実行させるためのプログラムが提供される。
【００１６】
このようなプログラムによれば、グライドポイント上の所定の指定領域に一定時間以上指が置かれて静電気などの電気信号が検出されると、その検出信号に基づいてその指が置かれた指定領域に応じた方向へ表示データをスクロールさせる処理がコンピュータによって実行される。これにより、指をグライドポイントに置いたまま、ウィンドウ内の表示データをスクロールさせる操作を行うことができるようになる。
【００１７】
【発明の実施の形態】
以下、本発明の実施の形態を、ノート型パーソナルコンピュータに搭載したスクロール機能付きグライドポイント装置の場合を例に、図面を参照して詳細に説明する。
【００１８】
まず、第１の実施の形態について説明する。
図１は第１の実施の形態のスクロール機能付きグライドポイント装置の構成例を示す要部断面概略図、図２は第１の実施の形態のスクロール機能付きグライドポイント装置の要部外観斜視図である。
【００１９】
第１の実施の形態のスクロール機能付きグライドポイント装置１は、ノート型パーソナルコンピュータ本体のボディ上部２ａの開口部に、表面が露出する矩形のグライドポイント３、左ボタン４および右ボタン５を有している。図１に示したように、ボディ上部２ａは、グライドポイント３が配置される開口部において、ノート型パーソナルコンピュータ本体のボディ内側下面２ｂの側へ折れ曲がった形状を有している。ボディ上部２ａの折れ曲がった部分の先端とボディ内側下面２ｂとの間には、所定の間隔で隙間が設けられている。
【００２０】
グライドポイント３の裏面側には、一端がグライドポイント３の裏面に、他端がボディ内側下面２ｂに、それぞれ固定されたばね６が配置されていて、グライドポイント３は、このばね６によって図１中上方向（表面側）へ付勢されている。グライドポイント３の裏面側に配置するばね６としては、例えばコイルばねを用いることができ、さらに、その他の形態のばねやゴムなど、各種弾性体を用いることができる。
【００２１】
なお、本形態では図示を省略するが、グライドポイント３は、少なくとも部分的にその表面側の縁部がボディ上部２ａの表面側の縁部とオーバーラップするように配置され、ばね６で付勢されているグライドポイント３が開口部から外へ飛び出さないような構成になっている。
【００２２】
グライドポイント３は、ばね６の付勢力に抗して表面側から押下されると、その側端面をボディ内側下面２ｂ側へ折れ曲がるボディ上部２ａにガイドされて移動するようになっている。さらに、ボディ内側下面２ｂまで移動してボディ上部２ａによるガイドが解除されたグライドポイント３は、押下された状態のまま、図１中左方向（または右方向）へスライドできるように構成されている。グライドポイント３は、このように図１中左方向または右方向へスライドされたときに、それぞれその側端面がボディ内側下面２ｂ上に配置されたスイッチ（ＳＷ）７ａ，７ｂに当接してスライドを停止するようになっている。
【００２３】
このスクロール機能付きグライドポイント装置１には、ＳＷ７ａ，７ｂ間をスライドする方向と直交する方向にも図示しないＳＷが対向配置されている。グライドポイント３は、このＳＷ間もスライドできるように構成されていて、その側端面がそれぞれのＳＷに当接したときにスライドを停止するようになっている。
【００２４】
図３は第１の実施の形態のスクロール機能付きグライドポイント装置におけるボディ内側下面の構成例であって、（Ａ）は要部平面概略図、（Ｂ）は一のＳＷ側から他のＳＷ側を見たときの要部側面概略図である。ただし、図３には、ボディ内側下面２ｂまで移動したグライドポイント３も併せて図示している。
【００２５】
グライドポイント３の裏面には、４箇所に突起３ａが形成されている。一方、ボディ内側下面２ｂには、ＳＷ７ａ側からＳＷ７ｂ側へ延びる直線状のレール２ｃ、およびこのレール２ｃに直交する方向に延びる直線状のレール２ｄが形成されている。レール２ｄは、ＳＷ７ｃ側からＳＷ７ｄ側へ延び、両レール２ｃ，２ｄは交差して形成されている。
【００２６】
グライドポイント３が押されてボディ内側下面２ｂまで移動したときには、突起３ａがレール２ｃ，２ｄの窪みに進入できるようになっている。グライドポイント３をＳＷ７ａ側またはＳＷ７ｂ側へスライドさせるときには、突起３ａがレール２ｃにガイドされ、グライドポイント３は、その側端部がＳＷ７ａまたはＳＷ７ｂに当接するまでスライドするようになっている。同様に、グライドポイント３をＳＷ７ｃ側またはＳＷ７ｄ側へスライドさせるときには、突起３ａがレール２ｄにガイドされ、グライドポイント３は、その側端部がＳＷ７ｃまたはＳＷ７ｄに当接するまでスライドするようになっている。
【００２７】
また、上記構成のスクロール機能付きグライドポイント装置１において、グライドポイント３の側端部とＳＷ７ａ，７ｂ，７ｃ，７ｄには、同極の磁石が組み込まれている。
【００２８】
上記構成のスクロール機能付きグライドポイント装置１では、従来同様、グライドポイント３を押下することなく、グライドポイント３に指を接触させて滑らせることにより、例えばそのときに指から発せられる静電気を電気信号として検出するなどして、画面上でポインタを移動させることができるようになっている。さらに、グライドポイント３を指でタップすることにより、ウィンドウを選択することができるようになっている。以下では、このスクロール機能付きグライドポイント装置１によるスクロール操作について説明する。
【００２９】
図４は第１の実施の形態のスクロール機能付きグライドポイント装置の動作を説明する第１の要部断面概略図、図５は第１の実施の形態のスクロール機能付きグライドポイント装置の動作を説明する第２の要部断面概略図、図６は第１の実施の形態のスクロール機能付きグライドポイント装置の動作を説明する第３の要部断面概略図である。また、図７は図４に示す動作状態におけるスクロール機能付きグライドポイント装置の要部外観斜視図、図８は図５に示す動作状態におけるスクロール機能付きグライドポイント装置の要部外観斜視図である。
【００３０】
スクロール機能付きグライドポイント装置１が有するグライドポイント３の操作によってウィンドウ内の表示データをスクロールさせる場合には、まず、図４および図７に示すように、指でグライドポイント３をボディ内側下面２ｂの側へ押下する。その際、グライドポイント３は、その側端面をボディ上部２ａにガイドされながら移動する。グライドポイント３がボディ内側下面２ｂまで移動されると、上記図３に示したように突起３ａがレール２ｃ，２ｄ内に進入した状態になる。
【００３１】
図５および図８に示すように、グライドポイント３は、ボディ内側下面２ｂまで移動すると、その側端面のボディ上部２ａによるガイドが解除される。これにより、指でグライドポイント３を押したまま、このグライドポイント３を例えばＳＷ７ａ側またはＳＷ７ｂ側へスライドできるようになる。このスライドは、グライドポイント３とＳＷ７ａの間またはグライドポイント３とＳＷ７ｂとの間の磁石の反発力に抗して行われる。
【００３２】
グライドポイント３がスライドされ、その側端面が、例えば一方のＳＷ７ａに当接すると、当接している間、このＳＷ７ａがオン状態になる。
ここで、図９は第１の実施の形態のスクロール機能付きグライドポイント装置を用いたスクロール処理の説明図である。スクロール機能付きグライドポイント装置１は、キーボード１０による入力制御のほか、左ボタン４および右ボタン５による入力制御も行うキーボードコントローラ１１によって制御されるようになっている。例えばＳＷ７ａがオン状態のときに発生する検出信号は、まず、キーボードコントローラ１１で受信される。そして、キーボードコントローラ１１からその検出信号に対応する信号がＩ／Ｏコントローラ１２に出力され、さらに、Ｉ／Ｏコントローラ１２から対応する表示信号がディスプレイ１３に出力される。表示信号は、グライドポイント３がＳＷ７ａに当接している間出力され、それにより、ウィンドウ内の表示データは、画面下方向にスクロールする。グライドポイント３がスライドされ、その側端面がＳＷ７ａに対向するもう一方のＳＷ７ｂに当接したときも処理の流れは同じであり、この場合、ウィンドウ内の表示データは画面上方向にスクロールするようになる。
【００３３】
このようなスクロール処理は、コンピュータに上記処理機能を実行させるためのプログラムにより実現され、このプログラムによってスクロール処理に関する種々の設定および変更も可能になっている。例えば、どのＳＷがオン状態になったときに表示データをどの方向にスクロールさせるか、あるいはグライドポイント３とＳＷとの接触時間が何秒以上のときにスクロール処理を実行するかといった設定や変更が可能である。
【００３４】
スクロールを終了する場合には、グライドポイント３を押下していた指をグライドポイント３から離す。これにより、グライドポイント３は、ＳＷ７ａまたはＳＷ７ｂとの磁石の反発力によって押し戻されるとともに、裏面をばね６によって付勢され、ボディ上部２ａの開口部直下の位置まできたときに押し上げられ、押下される前の位置まで戻される。
【００３５】
上記図４から図８では、グライドポイント３を押下してＳＷ７ａ，７ｂ間をスライドさせ、ウィンドウ内の表示データを例えば画面下方向または画面上方向にスクロールさせる場合について述べた。このようにグライドポイント３をＳＷ７ａ，７ｂ間でスライドさせる場合と同様に、グライドポイント３をＳＷ７ｃ，７ｄ間でスライドさせ、表示データを例えば画面右方向または画面左方向にスクロールさせることができる。すなわち、グライドポイント３を押下し、押下したままレール２ｄに沿ってスライドさせ、その側端面をＳＷ７ｃまたはＳＷ７ｄに当接させる。ＳＷ７ｃまたはＳＷ７ｄからの検出信号は、図９に示したように、キーボードコントローラ１１で受信され、その検出信号に対応する信号がＩ／Ｏコントローラ１２に出力され、表示信号がディスプレイ１３に出力される。これにより、ウィンドウ内の表示データは、例えば画面右方向または画面左方向にスクロールする。
【００３６】
このように、スクロール機能付きグライドポイント装置１は、グライドポイント３を押しながらこれをスクロールしたい方向へスライドさせることにより、その側端面がＳＷ７ａ，７ｂ，７ｃ，７ｄのいずれかに当接してスクロール方向が検出されるように構成されている。検出されたスクロール方向に応じてウィンドウ内の表示データをスクロールさせることができる。
【００３７】
さらに、グライドポイント３は、それが押下されていない状態では、ボディ内側下面２ｂの側へ延びるボディ上部２ａでその周囲が囲まれていて側方にスライドしないようになっている。そのため、ポインタ移動やウィンドウ選択の操作は従来通り行うことができる。
【００３８】
このスクロール機能付きグライドポイント装置１では、グライドポイント３と別個にスクロールボタンを設ける必要がなく、ポインタ移動やウィンドウ選択の操作、ウィンドウ内表示データのスクロール操作を、指をグライドポイント３に置いたまま行うことができる。さらに、グライドポイント３をスライドさせてＳＷ７ａ，７ｂ，７ｃ，７ｄをオン状態にしておくことで、継続して表示データをスクロールさせることができる。そのため、スクロールボタンを前後方向に回転させるといった操作が不要であり、ウィンドウ内に表示データが多数含まれていても、非常に少ない手間で容易にスクロール操作を行うことができる。
【００３９】
なお、上記の説明では、直交するレール２ｃ，２ｄを設け、グライドポイント３を前後左右方向にそれぞれスライドさせ、それに応じた方向に表示データをスクロールさせることができるようにしたが、一方のレール２ｃのみ設けて画面上下方向にのみスクロール可能な構成としてもよい。その場合、スクロール機能付きグライドポイント装置１の構造を簡素化し、また、製造コストダウンを図ることができる。さらに、その場合、グライドポイント３の裏面には、レール２ｃに納まる直線状の突起３ａを形成するようにしてもよい。
【００４０】
また、平行な２本のレール２ｃを１本にし、平行な２本のレール２ｄを１本にして、さらに、グライドポイント３の突起３ａを１箇所にして構造の簡素化を図ることもでき、その１本にしたレールが一方向のみであれば、突起３ａを直線状にすることもできる。
【００４１】
また、上記の説明では、グライドポイント３とＳＷ７ａ，７ｂ，７ｃ，７ｄに組み込んだ磁石の反発力によって、スライドさせたグライドポイント３を押し戻すようにしたが、このような磁石を設けず、ばね６のみによってグライドポイント３を押し戻すようにしてもよい。それにより、スクロール機能付きグライドポイント装置１の構造簡素化や製造コストダウンが可能になる。
【００４２】
次に、第２の実施の形態について説明する。
図１０は第２の実施の形態のスクロール機能付きグライドポイント装置の構成例を示す要部平面概略図である。
【００４３】
第２の実施の形態のスクロール機能付きグライドポイント装置２０は、ポインタ移動やウィンドウ選択の操作を行うための従来同様の構成および機能を備える例えば静電容量方式のグライドポイント２１のほか、左ボタン２２および右ボタン２３を有している。このスクロール機能付きグライドポイント装置２０において、指で操作が行われる部分はこれだけであり、別個にスクロール専用のスクロールボタンは設けられていない。スクロール機能付きグライドポイント装置２０では、グライドポイント２１上のあらかじめ設定された指定領域に、指が一定時間以上置かれた場合に、その指が置かれた指定領域に応じた方向にスクロールが行われるようになっている。
【００４４】
この第２の実施の形態のスクロール機能付きグライドポイント装置２０では、スクロール方向を決定するための指定領域が、図１０に示したように、グライドポイント２１の４箇所の縁部近傍領域にそれぞれ、下方向スクロール領域２１ａ、上方向スクロール領域２１ｂ、右方向スクロール領域２１ｃ、左方向スクロール領域２１ｄとして設定されている。これらの指定領域のいずれかに一定時間、例えば０．５秒以上、指が置かれたときに、その指から発せられる静電気が電気信号としてグライドポイント２１で検出され、指が置かれた指定領域が特定されてその指定領域に応じた方向にスクロールが行われる。
【００４５】
このような指定領域の設定、指が置かれる時間の設定、および指が置かれたときの電気信号を検出しその時間や指定領域を特定して表示データをスクロールさせるスクロール処理は、これらの処理機能を実行するためのプログラムを、例えばノート型パーソナルコンピュータにおいて実行することにより実現される。
【００４６】
図１１は第２の実施の形態のスクロール機能付きグライドポイント装置に対する操作によって行われる処理の流れを示す図である。
まず、ノート型パーソナルコンピュータのスクロール機能付きグライドポイント装置２０のグライドポイント２１に指が置かれると、それに伴って生じる電気信号が検出される。この電気信号は、グライドポイント２１において、検出された時間、検出された位置の座標を示す例えばＰＳ（Ｐｒｏｇｒａｍ  Ｓｔｒｅａｍ）の信号に変換され、検出信号が生成される（ステップＳ１）。生成された検出信号は、キーボードコントローラに伝達される（ステップＳ２）。
【００４７】
キーボードコントローラでは、まず、各座標における電気信号の検出時間すなわちグライドポイント２１上の各座標位置に指が置かれた時間が、例えば０．５秒以内であるか否かが判定される（ステップＳ３）。このステップＳ３において、電気信号の検出時間が０．５秒以内であると判断された場合には、グライドポイント２１に対して行われた操作が、指で１回たたくタップあるいは指を滑らせた移動の途中であるとして、ウィンドウ選択あるいはポインタ移動といった処理が実行される（ステップＳ４）。
【００４８】
一方、ステップＳ３において、電気信号の検出時間が０．５秒以上であると判断された場合には、次に、キーボードコントローラでは、電気信号の検出位置すなわちグライドポイント２１上に指が置かれた位置の座標が、指定領域内にあるか否かが判定される（ステップＳ５）。このステップＳ５において、電気信号の検出位置の座標が指定領域内にあると判断された場合には、その指定領域が下方向スクロール領域２１ａ、上方向スクロール領域２１ｂ、右方向スクロール領域２１ｃまたは左方向スクロール領域２１ｄのいずれであるかに応じて、所定の方向へのスクロール処理が実行される（ステップＳ６）。グライドポイント２１上に指が置かれている間は、ステップＳ１，Ｓ２，Ｓ３，Ｓ５，Ｓ６の処理が繰り返し実行され、画面のウィンドウ内の表示データが継続してスクロールするようになる。
【００４９】
ステップＳ５において、電気信号の検出位置の座標が指定領域外にあると判断された場合には、その操作を無効にしてスクロールが行われることなく処理が終了し、ステップＳ１以降の処理の実行が待機される。
【００５０】
このように、第２の実施の形態のスクロール機能付きグライドポイント装置２０では、別個にスクロールボタンを設けることなく、グライドポイント２１上にあらかじめ設定された指定領域に指を一定時間置くことにより、その指定領域に応じた方向へウィンドウ内の表示データをスクロールさせることができる。さらに、グライドポイント２１上では、ポインタ移動やウィンドウ選択の操作も従来通り行うことができる。
【００５１】
なお、上記指定領域の設定位置は一例であって、下方向スクロール領域２１ａおよび上方向スクロール領域２１ｂのみ設けて画面上下方向にのみスクロールさせる構成としてもよい。
【００５２】
上記第１，第２の実施の形態で述べたスクロール機能付きグライドポイント装置１，２０は、ノート型パーソナルコンピュータに好適に搭載される。そのほか、スクロール機能付きグライドポイント装置１，２０は、既存のノート型パーソナルコンピュータやデスクトップ型パーソナルコンピュータに外付けできるように構成されていてもよい。その場合は、スクロール機能付きグライドポイント装置１，２０を、マウスポートやＵＳＢポートに接続してキーボードコントローラに接続できるように構成する。また、勿論、スクロール機能付きグライドポイント装置１，２０を、主にデスクトップ型パーソナルコンピュータに用いられるキーボードに搭載することも可能である。
【００５３】
また、上記第１，第２の実施の形態において述べた処理機能は、ノート型パーソナルコンピュータをはじめとする各種コンピュータによって実現され、その場合、スクロール機能付きグライドポイント装置１，２０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｒｅｃｏｒｄａｂｌｅ）／ＲＷ（ＲｅＷｒｉｔａｂｌｅ）などがある。光磁気記録媒体には、ＭＯ（Ｍａｇｎｅｔｏ−Ｏｐｔｉｃａｌ  ｄｉｓｋ）などがある。
【００５４】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００５５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【００５６】
【発明の効果】
以上説明したように本発明では、スクロール機能付きグライドポイント装置を、押下したときにスライド可能になるグライドポイントのスライド方向にスイッチを配置し、スライドされたグライドポイントがスイッチに当接することにより、画面上の表示データのスクロール方向が検出されるように構成した。これにより、グライドポイントと別個のスクロール操作専用のボタンが不要になり、指をグライドポイントに置いたまま、ポインタ移動やウィンドウ選択の操作、ウィンドウ内表示データのスクロール操作を容易に行うことが可能になる。
【００５７】
さらに、このようなスクロール機能付きグライドポイント装置を、パーソナルコンピュータに搭載若しくは接続し、またはパーソナルコンピュータのためのキーボードに搭載することもできる。
【００５８】
また、コンピュータに、グライドポイント上の所定の指定領域に一定時間以上指が置かれたときに、その指定領域に応じた方向へ表示データをスクロールさせる処理を実行させるプログラムを用いることにより、指をグライドポイントに置いたまま、ポインタ移動やウィンドウ選択の操作、ウィンドウ内表示データのスクロール操作を容易に行うことが可能になる。
【図面の簡単な説明】
【図１】第１の実施の形態のスクロール機能付きグライドポイント装置の構成例を示す要部断面概略図である。
【図２】第１の実施の形態のスクロール機能付きグライドポイント装置の要部外観斜視図である。
【図３】第１の実施の形態のスクロール機能付きグライドポイント装置におけるボディ内側下面の構成例であって、（Ａ）は要部平面概略図、（Ｂ）は一のＳＷ側から他のＳＷ側を見たときの要部側面概略図である。
【図４】第１の実施の形態のスクロール機能付きグライドポイント装置の動作を説明する第１の要部断面概略図である。
【図５】第１の実施の形態のスクロール機能付きグライドポイント装置の動作を説明する第２の要部断面概略図である。
【図６】第１の実施の形態のスクロール機能付きグライドポイント装置の動作を説明する第３の要部断面概略図である。
【図７】図４に示す動作状態におけるスクロール機能付きグライドポイント装置の要部外観斜視図である。
【図８】図５に示す動作状態におけるスクロール機能付きグライドポイント装置の要部外観斜視図である。
【図９】第１の実施の形態のスクロール機能付きグライドポイント装置を用いたスクロール処理の説明図である。
【図１０】第２の実施の形態のスクロール機能付きグライドポイント装置の構成例を示す要部平面概略図である。
【図１１】第２の実施の形態のスクロール機能付きグライドポイント装置に対する操作によって行われる処理の流れを示す図である。
【符号の説明】
１，２０  グライドポイント装置
２ａ  ボディ上部
２ｂ  ボディ内側下面
２ｃ，２ｄ  レール
３，２１  グライドポイント
３ａ  突起
４，２２  左ボタン
５，２３  右ボタン
６  ばね
７ａ，７ｂ，７ｃ，７ｄ  ＳＷ
１０  キーボード
１１  キーボードコントローラ
１２  Ｉ／Ｏコントローラ
１３  ディスプレイ
２１ａ  下方向スクロール領域
２１ｂ  上方向スクロール領域
２１ｃ  右方向スクロール領域
２１ｄ  左方向スクロール領域
【図１】
2004362097.tif 000003
【図２】
2004362097.tif 000004
【図３】
2004362097.tif 000005
【図４】
2004362097.tif 000006
【図５】
2004362097.tif 000007
【図６】
2004362097.tif 000008
【図７】
2004362097.tif 000009
【図８】
2004362097.tif 000010
【図９】
2004362097.tif 000011
【図１０】
2004362097.tif 000012
【図１１】
2004362097.tif 000013